(57)【特許請求の範囲】
【請求項１】
頭を通すための貫通孔を有する防水性の洗髪シートと、被装着者に装着された前記洗髪シートを斜め下方に垂らした状態で前記洗髪シートの上部と下部とをそれぞれ保持する保持部と、を備え、
前記洗髪シートには、前記貫通孔が形成され、前記貫通孔は、被装着者の頭部が通された後、腹部側の前記洗髪シートが持ち上げられて前記貫通孔から被装着者の顔だけが露出するように、前記貫通孔の周縁を被装着者のうなじから耳の下を通って額に至る顔周りに沿わせることにより、前記貫通孔の周縁を顔周りに密着させるものであり、
前記保持部は、被装着者の腹部側から持ち上げられた前記洗髪シートの上部を、幅方向に広げた状態で保持する上部保持部と、背中側に垂れる前記洗髪シートの下部がＵ字状に垂れ下がるように、前記下部の幅方向両端部を互いに寄せて保持する下部保持部と、を備えたことを特徴とする洗髪装置。
【請求項２】
前記上部保持部が、外部の水平アームに一方の端部が固定された弾性体と、前記弾性体の他方の自由端部に取り付けられて、前記洗髪シートの上部を把持するクリップとで構成されている、請求項１に記載の洗髪装置。
【請求項３】
前記上部保持部が、外部の水平アームに一方の端部が固定された弾性体と、前記弾性体の他方の自由端部に取り付けられた被把持部材と、前記被把持部材に被せられた前記洗髪シートの上から前記被把持部材ごと前記洗髪シートを把持するクリップとで構成されている、請求項１に記載の洗髪装置。
【請求項４】
前記洗髪シート上部の幅方向両端部を保持する前記上部保持部が、所定幅で内側に折られた幅方向両端部の洗髪シートを保持するものである、請求項１から３のいずれか一項に記載の洗髪装置。
【請求項５】
更にワゴンを備え、前記ワゴンには、少なくとも前記上部保持部を支持するポールと、シャワー装置と、洗髪された汚染水を溜める貯留タンクとが備えられている、請求項１から４のいずれか一項に記載の洗髪装置。
【発明の詳細な説明】
【技術分野】
【０００１】
本発明は、要介護者を椅子に座らせたままで洗髪することができる洗髪装置に関する。
【背景技術】
【０００２】
要介護者を洗髪する装置としては、要介護者を寝かせたまま洗髪する装置と、椅子に座らせたまま洗髪する装置とがある。前者の洗髪装置としては、枚挙に遑がないが、後者の洗髪装置は、数えるほどしか開発されていない。
【０００３】
その中でも、下記特許文献１〜３に記載のものは、要介護者が、洗面器を背にして顔を上に向け、頭を洗面器に差し出して洗髪したり、顔を下に向け、頭を洗面器に差し出して洗髪したりする。そのため、そうした姿勢をとり難い患者や要介護者等には、使用できない問題がある。
【０００４】
これを解決したものとしては、例えば洗髪したお湯を収集する漏斗を背中に担いで洗髪するリュック式の洗髪器（非特許文献１参照）や、電気掃除機の吸引ホースの先端部にシャワーヘッドを取り付け、そのシャワーヘッドからお湯を出しながら、同時にシャワーヘッドで洗髪後のお湯を吸引する商品名「ルームシャンプー」と称するもの（非特許文献２参照）がインターネットで公開されている。
【０００５】
しかし、こうした器具を多数の要介護者に対し使い回す場合は、使用した器具の洗浄や消毒が不可欠になるから、こうした器具を扱う介護人にとっては、後始末が大きな負担になっている。
【先行技術文献】
【特許文献】
【０００６】
【特許文献１】特開２００６−３２０６５２号公報
【特許文献２】実用新案登録第３０８３５９２号公報
【特許文献３】実用新案登録第３１８９６３０号公報
【非特許文献】
【０００７】
【非特許文献１】ＧＯＯＧＬＥ検索において、キーワード「シャンプーポット」を入力したときに表示される画像。
【非特許文献２】ＧＯＯＧＬＥ検索において、キーワード「ルームシャンプー」を入力したときに表示されるガードナー株式会社のルームシャンプー公式サイト。
【発明の概要】
【発明が解決しようとする課題】
【０００８】
本発明は、こうした問題を解決せんとするもので、要介護者（以下では、介護を必要としない人も対象とするため、被装着者と称する。）を椅子に座らせたまま洗髪することができ、使用した洗髪シートも使い捨てにして、介護人の負担を軽減することのできる新たな洗髪装置を提供することを課題とする。
【課題を解決するための手段】
【０００９】
本発明の第１観点に係る洗髪装置は、少なくとも手で引っ張れば伸びる薄さの防水性の洗髪シートと、被装着者に装着された前記洗髪シートを斜め下方に垂らした状態で前記洗髪シートの上部と下部とをそれぞれ保持する保持部と、を備え、
前記洗髪シートは、広げた状態では、被装着者の少なくとも両肩を覆う横幅と、少なくとも手を挙げた手首から腰に至るまでの縦幅を有する略長方形であり、
前記洗髪シートの略中央部分には、被装着者の頭部が辛うじて通る大きさの貫通孔が形成され、前記貫通孔は、被装着者の頭部が通された後、腹部側の前記洗髪シートが持ち上げられて前記貫通孔から被装着者の顔だけが露出するように、前記貫通孔の周縁を被装着者のうなじから耳の下を通って額に至る顔周りに沿わせることにより、前記貫通孔の周縁を顔周りに密着させるものであり、
前記保持部は、被装着者の腹部側から持ち上げられた前記洗髪シートの上部を、幅方向に広げた状態で保持する上部保持部と、背中側に垂れる前記洗髪シートの下部がＵ字状に垂れ下がるように、前記下部の幅方向両端部を互いに寄せて保持する下部保持部と、を備えたことを特徴とする。
【００１０】
この洗髪シートは、手で引っ張れば伸びる薄さの合成樹脂製シート、例えば低密度ポリエチレンで形成することができる。ただし、シートの素材は、これには限定されない。また、この洗髪シートは、少なくとも両肩を覆う横幅と、少なくとも手を挙げた手首から腰に至るまでの縦幅を有するが、それより大きくても良い。この洗髪シートは、余った部分を折って使えるので、装着時に余裕のあるサイズが好ましい。
【００１１】
上部保持部は、幅方向に広げられた洗髪シートの上部を保持するが、幅方向全幅に亘って保持する必要はなく、洗髪シートの少なくとも幅方向両端部と、幅方向中央部分とを個別に保持するものであれば良い。
また、下部保持部は、洗髪シート下部の幅方向両端部を互いに寄せて保持するものであれば良い。例えばクリップ等でもって幅方向両端部を留め、そのクリップを、例えば洗面台の蛇口等に引っ掛けて保持しても良い。或いは、幅方向両端部を互いに結び合わせ、その結び目を洗面台の蛇口等に引っ掛けて留めても良い。このように、幅方向両端部を互いに寄せて保持することにより、洗髪シートの下部をＵ字状の、又は、リング状の排水口に形成すれば、洗髪シートの幅方向両側縁部を立ち上がらせて、溢水防止壁とすることができる。
【００１２】
この洗髪シートを装着するときは、洗面台の前に椅子を置き、そこに、被装着者を洗面台を背にして座らせる。次に洗髪シートの貫通孔に被装着者の頭部を通して被せ、被せた洗髪シートの長手方向を被装着者の前後方向に向ける。続いて被装着者の腹部側の洗髪シートを持ち上げて貫通孔から被装着者の顔を露出させる。このとき、後頭部の生え際下部のうなじを支点として、洗髪シートの前側を持ち上げ、貫通孔の周縁が、被装着者のうなじから耳の下を通って額に至る顔周りに沿った時点で止める。このとき、顔回りの長さは、頭部回りの長さよりも長いから、頭部を辛うじて通った貫通孔の周縁は、さらに前後方向と上下方向に帯状に伸びながら広がって、シート自身の収縮力によって顔周りの肌に密着する。このときの貫通孔の周縁は、上下に帯状に広がって肌に貼り付くから、締付力は、不快感を覚えるようなものではなくなる。こうして、貫通孔と顔回りとの隙間は、粘着テープを巻き付けたように、シールドされる。
【００１３】
続いて頭部に持ち上げた前側の洗髪シートの上部を幅方向に広げながら、少なくとも上部の幅方向両端部と幅方向中央部分とを上部保持部でもって保持する。このとき、被装着者の額の部分から上側の洗髪シートは、少し緊張させるように持ち上げて保持し、両脇の耳の周辺から上側の洗髪シートは、少し弛みを持たせるようにして保持する。そうすれば、被装着者が頭部を動かしても、移動量が大きい顔の両脇部分の洗髪シートが過度に引っ張られないから、貫通孔を変形させない効果がある。
【００１４】
続いて装着された洗髪シートが、被装着者の前側上方から後側下方へ向けて斜めに垂れ下がるように、背中側に垂れる洗髪シートの下部を下部保持部でもって保持する。このとき、下部保持部は、幅方向両端部を互いに寄せた状態に保持するから、洗髪シートの下部には、Ｕ字状の又はリング状の排水口が形成される。これにより、洗髪シートは、被装着者の背後から見ると、上部が広く、下部が狭い逆三角形になり、側面から見ると、下端部の排水口を底辺とする細長い三角形となる。しかも、下端部には、Ｕ字状の又はリング状の排水口が形成されるから、洗髪シートの左右の両側縁部は、上部から下部へ向けて次第に立ち上がった溢水防止壁になる。
【００１５】
こうして洗髪シートの装着が済むと、下端部に形成された排水口を洗面台のボウルに臨ませて洗髪する。洗髪された汚染水は、洗髪シートの幅方向中央部分に集まって下端部の排水口から洗面台のボウルに排水される。したがって、汚染水が洗髪シートの左右両側縁部から溢れ出ることはない。また、貫通孔と顔回りとの間は、広がって帯状となった貫通孔周縁の収縮力によってシールドされるから、汚染水が貫通孔から漏れ出ることもない。
【００１６】
本発明の第２観点に係る洗髪装置は、第１観点に係る前記上部保持部が、外部の水平アームに一方の端部が固定された弾性体と、前記弾性体の他方の自由端部に取り付けられて、前記洗髪シートの上部を把持するクリップとで構成されていることを特徴とする。
【００１７】
この弾性体は、伸縮するだけでなく、自在に揺動する、例えばゴム紐やコイルスプリング等で構成される。また、クリップは、例えば洗濯挟みのように、洗髪シートを挟んで抜けないように留めることができれば良い。また、外部の水平アームは、例えばキャスターの付いた移動式のポールに取り付けられた水平アームや、部屋の壁に取り付けられて、洗面台の上方に張り出すように構成された水平アームである。
上部保持部は、この水平アームの少なくとも洗髪シートの幅方向両端部と幅方向中央部分とに対応する位置に設けられる。そうすれば、弾性体とクリップとを介して吊り下げられた洗髪シートは、被装着者が動いたり、頭を動かしたりしても、各弾性体が伸びて、顔回りに装着された貫通孔を過度に引っ張ったり、変形させたりしないから、貫通孔と顔回りとの間に隙間を生じさせないようにすることができる。
【００１８】
本発明の第３観点に係る洗髪装置は、第１観点に係る前記上部保持部が、外部の水平アームに一方の端部が固定された弾性体と、前記弾性体の他方の自由端部に取り付けられた被把持部材と、前記被把持部材に被せられた前記洗髪シートの上から前記被把持部材ごと前記洗髪シートを把持するクリップとで構成されていることを特徴とする。
【００１９】
この被把持部材は、洗髪シートを被せることができ、かつ、クリップで把持される大きさのもので、例えば洗髪シートの上部が乗るような短い棒状部材であれば良い。この被把持部材を弾性体の自由端部に取り付け、その上に洗髪シートを被せて、被把持部材ごと洗髪シートをクリップで把持するように構成する。例えば外部の水平アームから吊り下げられた弾性体の下端部（自由端部）に釣り針状のフックを取り付け、そのフックの上向きの先端部分に被把持部材を取り付けておく。或いは、水平アームの側面から水平方向に又は上向きに弾性体を取り付け、その弾性体の自由端部に被把持部材の側面又は下面を取り付けておく。そうすれば、被把持部材の上面に洗髪シートを被せることができ、その上からクリップでもって被把持部材ごと洗髪シートを把持することができる。
【００２０】
このような構成の上部保持部を、洗髪シートの幅方向両端部と、幅方向中央部分とに対応する水平アームの位置に設けておく。そうすれば、洗髪シート上部の左右の両端部とそれらの中間部分とを、各上部保持部で保持することができるから、被装着者が動いたり、頭を動かしたりしても、各弾性体が伸びて被装着者に装着された貫通孔を過度に引っ張ったり、変形させたりしない。これにより、被装着者の顔回りに密着した貫通孔と顔回りとの間に隙間を生じさせないようにすることができる。
【００２１】
また、水平アームに沿って設けられた被把持部材を、表面に複数の吸引口が設けられたパイプで構成し、そのパイプを吸引装置に接続してパイプ内を負圧にし、それらのパイプでもって洗髪シートの上部を吸引保持するようにしても良い。そうすれば、洗髪シートの上部を各パイプに被せるだけで、洗髪シートは、各パイプに吸引保持されて、ずれ落ちないから、その状態で洗髪シート中央部分の上下方向の張り具合や両サイドの弛み具合を調整することができる。それが済めば、各パイプの吸引力を強くするか、吸引力を変えずにクリップでもってパイプに被せた洗髪シートをパイプごと把持するようにする。
【００２２】
本発明の第４観点に係る洗髪装置は、第１観点乃至第３観点に係る洗髪装置において、前記洗髪シート上部の幅方向両端部を保持する前記上部保持部が、所定幅で内側に折られた幅方向両端部を保持することを特徴とする。
【００２３】
洗髪シート下部の幅方向両端部は、幅方向に寄せられた状態で保持されるから、貫通孔より下方の幅方向両側縁部は、十分立ち上がることができる。これに対し、貫通孔より上方の洗髪シートは、上部が広げられた状態で保持されるから、貫通孔より上方の幅方向両側縁部は、十分に立ち上がることはできない。
【００２４】
そこで、第４観点に係る洗髪装置では、洗髪シート上部の幅方向両端部を保持する上部保持部が、所定幅で内側に折られた幅方向両端部を保持するようにしている。例えば、洗髪シート上部の幅方向両端部を所定幅で内側に折り畳み、それを上部保持部で保持するようにする。或いは、折り畳まずに、内側にＬ字状に折り曲げたまま保持するようにしても良い。
【００２５】
折り畳んで保持する場合は、例えば幅方向両端部に配置される各上部保持部を水平アームに沿って直列に配置し、それらの上部保持部でもって所定幅に折り畳まれた幅方向両端部を保持する。そうすると、折り畳まれたシートは、上部保持部を出た際から内側に「く」の字に開いて広がるから、貫通孔より上方の幅方向両側縁部の立ち上り量が小さくても、シャワー水が、そこから溢れ出るのを防止することができる。
【００２６】
また、幅方向両端部を折り畳まずに、内側にＬ字状に折り曲げたまま保持する場合は、例えば左右の上部保持部を、中央部分の上部保持部に対し、直交する方向に向けて配置しておく。そうすると、左右の上部保持部は、幅方向両端部を、中央部分の洗髪シートに対し、直角に折られた状態で保持することになるから、幅方向両端部は、左右の上部保持部で保持された箇所から所定幅で立ち上がった溢水防止壁となる。これにより、貫通孔より上方の幅方向両側縁部は、頭髪に掛けられたシャワー水を溢れ出させないようにすることができる。
【００２７】
本発明の第５観点に係る洗髪装置は、第１観点ないし第４観点に係る洗髪装置において、さらにワゴンを備え、前記ワゴンには、少なくとも前記水平アームを支持するポールと、シャワー装置と、洗髪された汚染水を溜める貯留タンクとが備えられていることを特徴とする。
【００２８】
このワゴンは、手押し式のワゴンであっても良いし、モータで自走する電動式ワゴンであっても良い。また、ワゴンには、折り畳み式の椅子を搭載しておくと良い。また、前記ポールは、ワゴンに対し、着脱自在に構成しておくのが良い。例えばワゴンの四つの脚部の何れかに差込可能に構成しておく。そうすれば、被装着者が、ワゴンの右側に居るか、左側に居るかによって、ポールを勝手反対の位置に付け替えることができる。
【００２９】
ポールは、上下に伸縮するものが好ましく、使用しない場合は、邪魔にならない高さまで下げておけるようにしておく。また、ポールの先端部には、水平アームが取り付けられるが、この水平アームも、ポールに対し着脱可能に構成しても良いし、ポールと水平アームとをヒンジで結合して、折り畳めるように構成しても良い。また、水平アームには、少なくとも三つの上部保持部が取り付けられるが、その取付位置は、固定であっても、移動自在であっても良い。さらに、水平アームは、水平方向に伸縮するように構成しておく。そうすれば、水平アームの位置を、椅子に腰かけた被装着者の頭部の位置に応じて適宜に調整することができる。
【００３０】
シャワー装置は、シャワーヘッドと、温水タンクと、温水タンクから温水を汲み上げて前記シャワーヘッドに給湯するポンプと、シャワー水を受ける洗面台とを備えている。
シャワーヘッドは、洗面台又はワゴンに設けられたフックに着脱自在に保持されるものが好ましい。その場合のフックは、シャワーヘッドが持ち上げられると、前記ポンプのスイッチが入ってシャワーヘッドからお湯が噴射され、フックにシャワーヘッドが戻されると、スイッチが切れてお湯が止まるようになっている。また、これに代えて、ワゴンの足元にスイッチを設け、それを足で操作するようにしても良い。
【００３１】
温水タンクは、洗髪に必要な量のお湯を溜めることができる容量を有するが、お湯を溜めた温水タンクを抱えてワゴンに積み込むのは、介護人にとっては、大きな負担になる。そこで、温水タンクは、ワゴンに乗せたまま、給水ホースでタンク内にお湯が供給できるようにしておくのが好ましい。例えば温水タンクに給水ホースを接続し、それを温水が出る蛇口に差し込んで、温水タンクに直接給湯するようにしておく。
【００３２】
また、水の出る蛇口しかない場合は、温水タンクに接続した給水パイプの途中に電気湯沸かし器を接続して、水を加熱しながら温水タンクに給湯するようにしても良い。これに代えて、温水タンクからシャワーヘッドへ送る給水パイプの途中に電気湯沸かし器を設けて、シャワーヘッドには、適温のお湯が供給されるように構成しても良い。これにより、適温に温めたお湯で洗髪することができるから、冬場でも使用することができる。
【００３３】
洗面台は、ワゴンの前側側面に取り付け、洗面台の下方に、排水された水を溜める貯留タンクを設けておく。この洗面台は、高さ方向と水平方向とに移動可能に構成しておくのが良い。これにより、被装着者とワゴンとの位置関係に応じて、洗面台を適宜な高さと角度に配置することができるから、洗髪する介護人の作業性が良くなる。
【００３４】
洗面台の下方に配置される貯留タンクをワゴンから取り出して排水するのは、介護人にとっては、大きな負担になる。そこで、貯留タンクの下部に排水コックを取り付け、ワゴンを足洗い場まで移動させて排水コックを開けば、貯留タンク内の水が足洗い場に排水されるようにしておくのが好ましい。
さらに、貯留タンクに給水ホースも取り付け、蛇口に給水ホースを接続して、ワゴンに設置した貯留タンクに直接給水するようにしておくのが良い。
【発明の効果】
【００３５】
本発明によれば、被装着者を椅子に座らせたまま、無理な姿勢をとらさずに洗髪することができる。したがって、これまでの洗髪装置のように、介護を必要する被装着者に対して、首を仰向けに反らせるようにしたり、洗面台のボウル上で顔を俯せにさせたりする必要がないから、汎用性の高い洗髪装置とすることができる。また、洗髪シートを使い捨てにして、器具の洗浄や消毒を省略することができるから、介護人の負担を軽減して、被装着者にとっても、看護人にとっても使い勝手の良い洗髪装置となる。
【図面の簡単な説明】
【００３６】
【図１】本発明に係る一実施形態としての洗髪装置の要部外観斜視図
【図２】洗髪シートの平面図
【図３】ワゴンに図１の洗髪装置を組み込んだ形態の洗髪装置全体の側面図
【図４】下部保持部の一実施形態を示す要部外観斜視図
【図５】洗髪シートの貫通孔に被装着者の頭部を通す説明図
【図６】被装着者に被せた洗髪シートを持ち上げて貫通孔から顔を露出させる説明図
【図７】図３の洗髪装置の平面図
【図８】弾性体を介してパイプを水平アームから吊るす平面図
【図９】負圧に設定された円弧状のパイプを水平アームから吊るす平面図
【図１０】図３の配置平面図
【図１１】立体的に成形した洗髪シートの外観側面図
【図１２】図１１の洗髪シートを使用した洗髪装置の外観斜視図
【図１３】他の実施形態のワゴンの外観斜視図
【発明を実施するための形態】
【００３７】
以下、本発明の実施形態を、図面を参照しながら説明する。なお、この実施形態は、本発明を説明するための一例であって、本発明の技術的範囲を限定するものではない。
図１は、一実施形態としての洗髪装置の要部外観斜視図を示し、図２は、洗髪シートの平面図を示し、図３は、洗髪シート１を、被装着者Ｐに装着した洗髪装置全体の側面図を示す。これらの図において、洗髪装置１００は、少なくとも手で引っ張れば伸びる薄さの防水性の洗髪シート１と、被装着者に装着された洗髪シート１を斜め下方に垂らした状態で洗髪シート１の上部１０と下部１１をそれぞれ保持する保持部２とを備えている。
【００３８】
洗髪シート１は、手で引っ張れば伸びる薄さの合成樹脂製のシートで形成され、広げた状態では、少なくとも被装着者Ｐの両肩を覆う横幅と、手を挙げた手首の位置から腰に至るまでの縦幅を有する略長方形である。ただし、これより大きいサイズであっても構わない。大きいサイズであれば、それだけで体格の大きな人から小さな人まで使用することができる。
【００３９】
具体的には、洗髪シート１は、厚さ０．０３ｍｍから０．０５ｍｍ程度のポリエチレンシートで形成され、横幅が約９０ｃｍ、縦幅が約１５０〜１８０ｃｍ程度あれば十分である。また、洗髪シート１の両側縁部１２には、図２に示すように、両側縁部１２を一定幅で内側に折って襞１２ａを形成している。この襞１２ａは、装着時には、図１のように、内側に折られた襞１２ａが開きながら立ち上がって、洗髪した後の洗浄水が洗髪シート１から溢れ出るのを防止する。なお、図２において、襞１２ａの上端部１２ｂは、開かないように溶着されている。
【００４０】
洗髪シート１の略中央には、被装着者Ｐの頭部が辛うじて通る大きさの貫通孔１３が形成されている。この貫通孔１３は、横幅よりも縦幅の方が若干長い卵形が好ましいが、貫通孔１３に頭部を通すときに、貫通孔１３の周縁が均一に伸びるような形状、例えば長円形や円形であっても良い。また、良く伸びる薄手のポリエチレンシートを使用する場合は、貫通孔１３の周囲長を被装着者の頭部周囲長の約７０％程度とし、厚手のポリエチレンシートを使用する場合は、頭部周囲長の約８０％程度としておくのが良い。ただし、ポリエチレンシートは、素材の配合割合によって同じ厚さであっても、伸びやすいものや伸び難いものがあるから、この数値は、一例に過ぎない。
【００４１】
なお、小さ目の貫通孔１３であっても、後述するように、貫通孔１３は、頭部に通すときに伸び、さらに貫通孔１３から顔を露出させるときにも引き伸ばされながら、図６に示すように、貫通孔１３の周縁部１３ａが下から上へと広がって、前記周縁部１３ａが帯状に広がった状態で顔回りの肌に密着するから、その状態で２０〜３０分間装着しても、ゴム紐のように締め付けられないから、被装着者Ｐに対して不快感を与えない効果がある。
【００４２】
保持部２は、図１、図３に示すように、被装着者Ｐの腹部側から持ち上げられた洗髪シート１の上部１０を幅方向に広げた状態で保持する上部保持部２０と、被装着者Ｐの背中側に垂れる洗髪シート１の下部１１を保持する下部保持部２１とを備えている。
【００４３】
上部保持部２０は、洗髪シート上部１０の幅方向の両端部と中央部分とを保持するもので、外部の水平アーム２２から吊り下げられている。具体的には、上部保持部２０は、水平アーム２２から吊り下げられた弾性体２３と、弾性体２３の自由端部（下端部）に取り付けられて、洗髪シート１の上部１０を把持するクリップ２４とで構成されている。
【００４４】
弾性体２３は、コイルスプリングで構成されるが、これに代えて、ゴム紐であっても良い。クリップ２４は、例えば洗濯挟みのような構成で、洗髪シート１を挟む先端部２４ａには、挟んだ洗髪シート１が抜けないように、ゴム材が設けられている。
【００４５】
水平アーム２２は、図３では、ワゴンＷに取り付けられたポール２５に連結されているが、これに代えて、例えばキャスターの付いた移動式のポールに水平アーム２２を取り付けたものでも良いし、基端部が部屋の壁に取り付けられ、自由端部が壁から自在に張り出すように設けられた伸縮可能なリンク機構の可動端部に水平アーム２２を取り付けたものでも良い。
【００４６】
このように、水平アーム２２から弾性体２３とクリップ２４とを介して吊り下げられた洗髪シート１は、被装着者Ｐが動いたり、頭を動かしたりしても、各弾性体２３が伸びて、顔回りに装着された貫通孔１３を過度に引っ張ったり、変形させたりしないから、貫通孔１３と顔回りとの間に隙間を生じさせない効果がある。
【００４７】
下部保持部２１は、洗髪シート１の下部１１がＵ字状に又はリング状に垂れ下がるように、下部１１の幅方向両端部１１ａを互いに寄せて保持する。具体的には、図１に示すように、幅方向両端部１１ａを互いに結び合わせ、その結び目を例えば後述の洗面台３３に設けたフック３４に引っ掛けて留めるようにしても良いし、図４に示すように、幅方向両端部１１ａをクリップ２６で保持し、そのクリップ２６を繋ぐ紐を前記フック３４や蛇口に引っ掛けて留めても良い。このように、幅方向両端部１１ａを互いに寄せて、洗髪シート１の下部１１をＵ字状の又はリング状の排水口１４に形成すれば、洗髪シート１の幅方向の両側縁部１２を立ち上がらせて、両側縁部１２を溢水防止壁にすることができる。
【００４８】
洗髪シート１を被装着者Ｐに装着するときは、例えば図３に示すように、椅子に腰かけた被装着者Ｐの頭上前方に上部保持部２０を配置し、背中側下方に下部保持部２１を配置する。次に図５に示すように、洗髪シート１の貫通孔１３に被装着者Ｐの頭部を通し、続いて洗髪シート１の長手方向を被装着者Ｐの前後方向に向けてから、図６に示すように、被装着者Ｐの腹部側に垂れる洗髪シート１を持ち上げて貫通孔１３から被装着者の顔を露出させる。このとき、貫通孔１３の周縁を被装着者のうなじから耳の下を通って額に至る顔周りに沿わせる。これにより、貫通孔１３の周縁部１３ａは、伸びながら帯状に広がり、広がった周縁部１３ａの収縮力によって顔周りの肌に密着する。この状態で、図１、図３に示すように、持ち上げた洗髪シート１の前側上部１０を幅方向に広げて、各上部保持部２０でもって幅方向の両端部１２と中央部分とを保持する。
【００４９】
このとき、被装着者Ｐの額付近から上部１０までの洗髪シート１が少し緊張するように、洗髪シート１の中央部分を少し緊張させた状態で中央部分の上部保持部２０で保持する。また、その両脇の側頭部付近から上部１０の幅方向両端部１２までの洗髪シート１を弛んだ状態で幅方向両端部１２を左右の上部保持部２０で保持する。そうすれば、弾性体２３とクリップ２４とを介して吊り下げられた洗髪シート１は、被装着者Ｐが動いたり、頭を動かしたりしても、洗髪シート１がその動きに追従すると共に、各弾性体２３が個別に伸びて、顔回りに装着された貫通孔１３を過度に引っ張ったり、変形させたりしないから、貫通孔１３と顔回りとの間に隙間を生じさせないようにすることができる。
【００５０】
続いて、洗髪シート下部１１の幅方向両端部１１ａを互いに結び合わせ、その結び目を下部保持部２１のフック３４でもって保持する。これにより、洗髪シート１の下部１１には、Ｕ字状の又はリング状の排水口１４が形成される。それに加え、洗髪シート１は、上部１０から下部１１へ向けて横幅が次第に狭くなりながら垂れ下がるから、洗髪シート１の左右の両側縁部１２が立ち上がって（垂れ下がって）、両側縁部１２からシャワー水を溢れさせないようにすることができる。
【００５１】
図３は、洗髪装置１００を搭載したワゴンＷの一例を示し、図７は、図３の洗髪装置の平面図を示す。このワゴンＷには、少なくとも水平アーム２２を支持するポール２５と、シャワー装置３と、洗髪された後の汚染水を溜める貯留タンク３４とが備えられている。
【００５２】
ポール２５は、ワゴンＷの前側二つの鉛直フレームに上部から差し込めるように構成されて、ワゴンＷと被装着者Ｐとの位置関係に応じて、ポール２５を左右の何れかの鉛直フレームに差し込んで使用できるようになっている。また、このポール２５は、上下に伸縮できるように、嵌め込み式に構成され、そのポール２５の中程には、上下に移動させた上側のポールを適宜な位置で固定する締付金具２５ａが設けられている。これにより、椅子に腰かけた被装着者Ｐの頭部の位置に応じて水平アーム２２の高さが調整できるようになっている。なお、各鉛直フレームの下端部には、キャスターＣＡが取り付けられている。
【００５３】
また、ポール２５と、被装着者Ｐの頭上に配置される水平アーム２２との間には、同様の嵌め込み式の連結バー２７が設けられ、その連結バー２７の中程には、伸縮させた連結バー２７を固定する締付金具２７ａが設けられている。
【００５４】
また、ポール２５のＬ字型先端部と連結バー２７とは、ヒンジ結合され、さらにポール２５と連結バー２７との間には、斜めに傾斜ロッド２８が取り付けられている。この傾斜ロッド２８を伸縮させることにより、連結バー２７の水平方向との傾斜角度が変えられるようになっている。これにより、被装着者Ｐの頭上前方の水平アーム２２と被装着者Ｐの頭部との距離を調整することができる。また、傾斜ロッド２８は、分解可能であり、それを分解して取り除けば、連結バー２７を鉛直方向に折り畳むことができるようになっている。
【００５５】
さらに、水平アーム２２と、これと交差する連結バー２７とは、それらの連結部分がヒンジ結合されて、水平アーム２２と連結バー２７との交差角度が変えられるようになっている。これにより、図７の破線で示すように、連結バー２７を回転させて、水平アーム２２をワゴンＷの側方に移動させることができるようになっている。これにより、被装着者や介護人の立ち位置に応じて、水平アーム２２とワゴンＷとの相対位置が変更できるようになっている。
【００５６】
また、ワゴンＷには、使用前の折り畳まれた洗髪シート１を収納するボックスＢｂや、シャンプーとヘアリンスＲ、タオルＴ、ヘアドライヤーＨＤ、その他、図示しない医療用手袋、ヘアブラシ、ランドリーボックス、抜け毛回収フィルター等が引き出しＤＷ等に収納されている。
【００５７】
シャワー装置３は、シャワーヘッド３０と、温水タンク３１と、温水タンク３１から温水を汲み上げてシャワーヘッド３０に供給するポンプ３２と、洗髪シート１から排出された汚染水を受け取る洗面台３３と、汚染水を溜める貯留タンク３４とを有している。
【００５８】
シャワーヘッド３０は、洗面台３３又はワゴンＷに設けられたフック３５に着脱自在に支持されるように構成されている。このフック３５には、ポンプ３２の電源をオン・オフするスイッチが設けられ、シャワーヘッド３０が持ち上げられてフック３５から外れると、ポンプ３２のスイッチが入ってシャワーヘッド３０からお湯が噴射される。また、フック３５にシャワーヘッド３０が戻されると、スイッチが切れてお湯が止まるようになっている。また、これに代えて、ワゴンＷの足元にスイッチを設け、それを足で操作する構成であっても良い。
【００５９】
シャワーヘッド３０を支持するフック３５は、ワゴンＷに設けられた短いポールに取り付けられて、フック３５に設けられたロックレバー３６を操作すれば、フック３５の取付位置が、短いポールに沿って上下に変更できるようになっている。
【００６０】
ワゴンＷには、さらに洗面台３３と、そこに排出された汚水を回収する貯留タンク３４とが設けられている。洗面台３３は、ワゴンＷの手押ハンドル４０の反対側側面に高さ方向と水平方向に移動できるように構成されている。具体的には、洗面台３３を支持するベース板３７を水平なスライドレールに移動可能に取り付けられて、図７の破線で示すように、洗面台３３をワゴンＷから側方へ移動させることができるようになっている。また、ベース板３７には、洗面台３３の高さを上下に切り替える機構が組み込まれ、洗面台３３の高さが、少なくとも上段と下段に変更できるようになっている。また、このベース板３７と前記スライドレールとの間にヒンジ機構を組み込めば、洗面台３３を水平面内で回転させることも可能である。このような構成にすれば、被装着者Ｐ、介護人、ワゴンＷの位置に応じて、洗面台３３やワゴンＷの位置を作業し易い位置に移動させることができる。
【００６１】
貯留タンク３４は、洗面台３３の下方に配置されているが、それをワゴンＷから取り出して排水するのは、介護人の大きな負担になるから、この実施形態では、貯留タンク３４の下部に排水コック３８を取り付け、ワゴンＷを足洗い場まで移動させてから排水コック３８を開けば、貯留タンク３４の汚水が足洗い場に排水されるようになっている。
【００６２】
ポンプ３２は、温水タンク３１に浸漬される水中ポンプで構成することができるが、これに代えて、温水タンク３１内のお湯を汲み上げるポンプであっても良い。また、温水タンク３１は、洗髪に必要な量のお湯を溜めることができる容量を有しているが、お湯を溜めた温水タンク３１を抱えてワゴンＷに積み込むのは、大きな負担になるから、この実施形態では、温水タンク３１に給水ホース３９を取り付け、それでもってお湯がタンク３１に供給できるようになっている。したがって、給水ホース３９をお湯の出る蛇口に差し込んで温水タンク３１に直接お湯を供給することができる。
【００６３】
また、このワゴンＷには、温水タンク３１に水を供給した場合でも、それを適温まで温める電気湯沸かし器５０が設けられている。この電気湯沸かし器５０は、給水ホース３９の途中に、電気湯沸かし器５０を接続して、水道水を温めながら、温水タンク３１にお湯を供給するようになっている。ただし、これは一例であって、温水タンク３１の水を電気湯沸かし器５０に通してから、再び温水タンク３１に戻すことにより、温水タンク３１内の水を適温まで加熱するようにしても良い。
【００６４】
＜他の第１実施形態＞
図１の上部保持部２０は、水平アーム２２から吊り下げられた弾性体２３と、その弾性体２３の自由端部（下端部）に取り付けられて、洗髪シート１の上部１０を把持するクリップ２４とで構成したものであるが、この構成に代えて、図８に示すように、例えば外部の水平アーム２２から吊り下げられた弾性体２３の下端部（自由端部）に釣り針状のフックＦを取り付け、そのフックＦの上向きの先端部分Ｆａに被把持部材２９を取り付け、その被把持部材２９の上に洗髪シート１を被せて、被把持部材２９ごと洗髪シート１をクリップ２４で把持するように構成しても良い。そうすれば、洗髪シート１を各被把持部材２９の上に被せて、洗髪シート１の保持位置を決め、その後に、クリップ２４でもって被把持部材２９ごと洗髪シート１を把持していけば、洗髪シート１の幅方向中央部分に張りを持たせ、その両脇を弛ませた状態で保持することが楽にできるようになる。
【００６５】
この被把持部材２９は、洗髪シート１を被せた上からクリップ２４でもって把持できる大きさの短い棒状部材で構成されている。また、この被把持部材２９をフックＦの先端部Ｆａに取り付ける構成に代えて、図９に示すように、水平アーム２２の側面から水平方向に又は上向きに弾性体２３を取り付け、その弾性体２３の自由端部に被把持部材２９の側面又は下面を取り付ける構成でも良い。そうすれば、被把持部材２９の上面に洗髪シートを１被せた上からクリップ２４でもって被把持部材２９ごと洗髪シート１を把持することができる。
【００６６】
この被把持部材２９では、クリップ２４で洗髪シート１の上部１０を留めるまでは、洗髪シート１が被把持部材２９から滑り落ちる恐れがある。そこで、図１０、図１１に示すように、被把持部材を、表面に複数の吸引口Ｈを配置し、内部を空洞にしたパイプ２９ａで構成し、そのパイプ２９ａを柔軟なチューブＴを介して吸引装置ＡＳに接続することにより、各パイプ２９ａ内を負圧にすれば、それらのパイプ２９ａの上に洗髪シート１の上部１０を被せるだけで、洗髪シート１は、パイプ２９ａに吸引保持されて、滑り落ちるのを防止することができる。したがって、その状態で洗髪シート１の中央部分の上下の張り具合や、その両サイドの上下の弛み具合を調整してから、各パイプ２９ａの吸引力を強くして保持位置を固定する。あるいは、吸引力を変えずに、各パイプ２９ａの上からさらにクリップ２４でもって洗髪シート１をパイプ２９ａごと把持するようにしても良い。こうすれば、洗髪シート１の上部１０を各パイプ２９ａに被せて幅方向の位置を調整し、次に中央部分の洗髪シート１に張りを持たせ、その両脇の洗髪シート１に弛みを持たせる作業が楽にできるようになる。
【００６７】
また、洗髪シート１の幅方向両側縁部１２には、所定幅で内側に折られた襞１２ａが設けられているので、図１０の実施形態では、左右の襞１２ａをそれぞれ上から押さえる押さえ部材ＰＵを、左右のパイプ２９ａに設けている。具体的には、各押さえ部材ＰＵは、端部に設けられた水平な回転軸Ｃを中心として回動することにより、跳ね上げられた鉛直姿勢とパイプ２９ａの上に被さる水平姿勢とに切替可能に構成されている。そして、左右の押さえ部材ＰＵを跳ね上げて、パイプ２９ａの上に襞１２ａを乗せ、続いて跳ね上げた押さえ部材ＰＵを水平姿勢に戻せば、パイプ２９ａと押さえ部材ＰＵとの間に襞１２ａが挟まれて固定されるようになっている。これにより、パイプ２９ａの吸引作用が及ばない洗髪シート１の襞１２ａを押さえることができるようになっている。
【００６８】
＜他の第２実施形態＞
以上の実施形態では、洗髪シート１の幅方向両端部を所定幅で折り畳んで襞１２ａを設けた洗髪シート１を使用しているが、この襞１２ａを折り畳まずに、Ｌ字形に内側に折り曲げたまま、左右の上部保持部２０で保持するようにしても良い。
【００６９】
図１２は、左右の襞１２ａを折り畳まずに、Ｌ字形に内側に折り曲げたまま、左右の上部保持部２０で保持するように構成した一例を示す。この実施形態では、水平アーム２２に両端部をＬ字に折り曲げた平面視門形の補助アーム２２ａを取り付け、左右の上部保持部２０の被把持部材２９を、中央部分の被把持部材２９に対し、直交する方向に向けて配置しておく。そうすると、左右の上部保持部２０は、幅方向両端部１２を、中央部分の洗髪シート１に対し、直角に折られた状態で保持することになるから、幅方向両端部１２は、左右の上部保持部２０で保持された箇所から所定幅で立ち上がった溢水防止壁となる。これにより、貫通孔１３より上方の幅方向両側縁部１２は、頭髪に掛けられたシャワー水を溢れ出させないようにすることができる。
【００７０】
図１３は、ワゴンＷに電源装置８０を搭載して、屋外でも使用できるようにしたものである。そのため、主要部分は、ケーシング内に収納しているが、その他の装備品の基本構成は、図３の実施形態と同じである。また、この実施形態では、洗面台３３は、ノブＮＢを緩めれば、上下に移動可能に構成されている。また、シャワーヘッド３０には、ポンプを作動させるスイッチ７０が設けられ、それを操作すれば、シャワーヘッド３０から温水が噴射されるようになっている。また、ポール２５は、矢印ＦＲで示す前後方向に倒したり、起こしたりすることができるとともに、鉛直方向のポール２５は、嵌め込み式に構成されて、ロック機構５０を操作すれば、ポール２５を上下に伸縮できるようになっている。
【００７１】
以上、本発明の一実施形態を説明したが、本発明は、これらの実施形態に限定されるものではなく、特許請求の範囲に記載した範囲内で種々の変更も可能である。
【符号の説明】
【００７２】
１      洗髪シート
２      保持具
３      洗面台
１１      側縁部
１２      襞
１３      洗髪シートの上部
１４      貫通孔
１５      洗髪シートの下部
１５ａ    排水口
２０      上部保持部
２１      下部保持部
２２      パイプ
２２ａ    パイプ
２３      押さえ具（クリップ）
２４ａ    押さえ具
２４ｂ    押さえ具
ＬＡ      水平アーム
Ｓ      弾性体
Ｆ      フック
Ｗ      ワゴン
Ｐ      ポール
Ｄ      排水器具
ＳＨ      シャワー装置
１００    洗髪装置
【要約】      （修正有）【課題】被装着者を椅子に座らせて洗髪し、使用した洗髪シートは、使い捨てにすることのできる洗髪装置を提供する。【解決手段】防水性の洗髪シート１と、被装着者Ｐに装着された洗髪シートの上部１０と下部１１を保持する保持具２とを備える。洗髪シートは、被装着者の両肩を覆う横幅と、手を挙げた指先から臀部に至るまでの縦幅を有し、洗髪シートの略中央部分には、被装着者の頭部が辛うじて通る大きさの貫通孔１３が形成され、この貫通孔は、被装着者の頭部が通された後、腹部側の前記洗髪シートが持ち上げられて貫通孔から被装着者の顔だけが露出するように、貫通孔の周縁を被装着者のうなじから耳の下を通って額に至る顔周りに沿わせるものであり、前記保持具は、洗髪シートの上部を幅方向に広げた状態で保持し、背中側に垂れた洗髪シートの下部を排水口として保持する。【選択図】図３【図１】
0006903214.tif 000002
【図２】
0006903214.tif 000003
【図３】
0006903214.tif 000004
【図４】
0006903214.tif 000005
【図５】
0006903214.tif 000006
【図６】
0006903214.tif 000007
【図７】
0006903214.tif 000008
【図８】
0006903214.tif 000009
【図９】
0006903214.tif 000010
【図１０】
0006903214.tif 000011
【図１１】
0006903214.tif 000012
【図１２】
0006903214.tif 000013
【図１３】
0006903214.tif 000014